(57)【特許請求の範囲】
【請求項１】
シールドが露出した状態の通信用ケーブルを載置する第１の挟み込み部材と、
上記通信用ケーブルを挟んで上記第１の挟み込み部材に対向するように設けられた第２の挟み込み部材と、
上記第１の挟み込み部材と上記第２の挟み込み部材との間隔を調整自在にする間隔調整部材とを備え、
上記第１の挟み込み部材は、
上記通信用ケーブルのシールドと接触する接触面およびその接触面に対向する背面が導体で構成されると共に、それら接触面と背面との間が所望の抵抗値を有する抵抗体で構成され、導体で構成された背面が基準電位に設定されることを特徴とする通信用ケーブルのコモンモードインピーダンス安定化治具。
【請求項２】
上記第２の挟み込み部材は、
上記通信用ケーブルのシールドと接触する接触面が導体で構成されると共に、その他が絶縁体で構成され、
上記第１の挟み込み部材の接触面と上記第２の挟み込み部材の接触面とが伸縮自在な第１の導体部材により接続されたことを特徴とする請求項１記載の通信用ケーブルのコモンモードインピーダンス安定化治具。
【請求項３】
シールドが露出した状態の通信用ケーブルを載置する第１の挟み込み部材と、
上記通信用ケーブルを挟んで上記第１の挟み込み部材に対向するように設けられた第２の挟み込み部材と、
上記第１の挟み込み部材と上記第２の挟み込み部材との間隔を調整自在にする間隔調整部材とを備え、
上記第１の挟み込み部材は、
上記通信用ケーブルのシールドと接触する接触面およびその接触面に対向する背面が導体で構成されると共に、それら接触面と背面との間が抵抗体で構成され、導体で構成された背面が基準電位に設定され、
上記第２の挟み込み部材は、
上記通信用ケーブルのシールドと接触する接触面およびその接触面に対向する背面が導体で構成されると共に、それら接触面と背面との間が抵抗体で構成され、
上記間隔調整部材は、
上記第１の挟み込み部材の背面と上記第２の挟み込み部材の背面とを電気的に接続する導体により構成され、
上記第１の挟み込み部材の抵抗体および上記第２の挟み込み部材の抵抗体は、
それら２つの抵抗体による並列抵抗で所望の抵抗値を有するように設定されたことを特徴とする通信用ケーブルのコモンモードインピーダンス安定化治具。
【請求項４】
シールドが露出した状態の通信用ケーブルを載置する第１の挟み込み部材と、
上記通信用ケーブルを挟んで上記第１の挟み込み部材に対向するように設けられた第２の挟み込み部材と、
上記第１の挟み込み部材と上記第２の挟み込み部材との間隔を調整自在にする間隔調整部材とを備え、
上記第１の挟み込み部材は、
上記通信用ケーブルのシールドと接触する接触面およびその接触面に対向する背面が導体で構成されると共に、それら接触面と背面との間が抵抗体で構成され、導体で構成された背面が基準電位に設定され、
上記第２の挟み込み部材は、
上記通信用ケーブルのシールドと接触する接触面およびその接触面に対向する背面が導体で構成されると共に、それら接触面と背面との間が抵抗体で構成され、
上記第１の挟み込み部材の背面と上記第２の挟み込み部材の背面とが伸縮自在な第２の導体部材により接続され、
上記第１の挟み込み部材の抵抗体および上記第２の挟み込み部材の抵抗体は、
それら２つの抵抗体による並列抵抗で所望の抵抗値を有するように設定されたことを特徴とする通信用ケーブルのコモンモードインピーダンス安定化治具。
【発明の詳細な説明】
【技術分野】
【０００１】
本発明は、電子機器からの妨害波を検出測定するＥＭＩ（Ｅｌｅｃｔｒｏ  Ｍａｇｎｅｔｉｃ  Ｉｎｔｅｒｆｅｒｅｎｃｅ）測定に関し、特にシールドを有する通信用ケーブルのコモンモードインピーダンス安定化治具に関する。
【背景技術】
【０００２】
従来から、電子装置や電子部品の電磁環境適合性（ＥＭＣ：Ｅｌｅｃｔｒｏ  Ｍａｇｎｅｔｉｃ  Ｃｏｍｐａｔｉｂｉｌｉｔｙ）を評価するＥＭＣ試験として、試験の対象物（電子装置や電子部品）自身から放射または伝導される妨害波の大きさを測定するエミッション測定（ＥＭＩ測定）と、外部からの妨害波を受けた際の機器の耐性を評価するイミュニティ試験（ＥＭＳ試験）がある。
【０００３】
このうちＥＭＩ測定には供試機器から空間への放射ノイズを測定する放射ＥＭＩ測定と、供試装置（以下、ＥＵＴ）からＥＵＴに接続されているケーブル（電源線、信号線、制御線）に伝導するコモンモードノイズを測定する伝導ＥＭＩ測定がある。
【０００４】
伝導ＥＭＩ測定では、電源ポート（電源線）と通信ポート（信号線、制御線）では測定法が異なり、さらに、通信ポート伝導ＥＭＩ測定法は、大きく分けてケーブルのシールドが有る場合と無い場合とに大別される。
【０００５】
通信用ケーブルにシールドが有る場合の測定法としては、ＩＳＮ（Ｉｎｐｅｄａｎｃｅ  Ｓｔａｂｉｌｉｚａｔｉｏｎ  Ｎｅｔｗｏｒｋ）を用いる方法が一般的な測定法である。
【０００６】
ＩＳＮは、１５０Ωの終端抵抗とフェライトとをまとめて治具としたユニットであり、通信用ケーブルのコモンモードインピーダンスを一定の値に保ち、通信用ケーブルに誘起されるコモンモード電圧／電流を１５０Ωに保つ効果を持つ。このＩＳＮを用いてコモンモードインピーダンスを１５０Ωに保ち、通信用ケーブルのシールドに誘起されるコモンモードノイズの電圧または電流を測定する。
【０００７】
しかし、ＩＳＮを用いる場合は、ＩＳＮを通信用ケーブル間に挿入するために通信用ケーブルを切断し、ＩＳＮを接続できるようにコネクタ加工する必要がある。また、ＩＳＮは、主に同軸線やシールデッド・ツイストペア線（ＳＴＰ）には用意されているが、全てのシールドケーブルに対して用意されているものではない。
【０００８】
また、ＩＳＮが用意できない場合は、図６に示す測定系を組み、供試装置（ＥＵＴ）と対向装置（ＡＥ）との間をフェライトチューブを装着したシールドケーブルで接続する。また、図７に示すように、シールドケーブルの絶縁外皮を破り、シールドケーブルのシールド面と大地との間に１５０Ωの終端抵抗を接続する。
【０００９】
このように接続することで、シールドケーブルのコモンモードインピーダンスを１５０Ωに保ち、通信用ケーブルのシールドに誘起されるコモンモードノイズの電圧または電流を、電圧または電流プローブを用いて測定する（下記非特許文献１）。
【００１０】
しかし、図６および図７に示したような１５０Ωの抵抗をシールド面に接続する場合は、終端抵抗をシールド面に接続する方法としては、ワニ口クリップ等の簡易的な接続方法が実施されており、シールド面に対して安定に１５０Ωの終端抵抗を接続できるものではない。
【先行技術文献】
【非特許文献】
【００１１】
【非特許文献１】ＶＣＣＩ技術基準  付属文書ＩＶ「通信ポート伝導妨害波測定の配置および測定方法」  ２０１０．０４．０１改訂４版
【発明の概要】
【発明が解決しようとする課題】
【００１２】
従来の通信用ケーブルを対象とする通信ポート伝導ＥＭＩ測定法は以上のように構成されているので、ＩＳＮを用いる場合は、ＩＳＮを通信用ケーブル間に挿入するために通信用ケーブルを切断し、ＩＳＮを接続できるようにコネクタ加工する必要がある。また、ＩＳＮのコネクタは、全ての通信用ケーブルには対応しておらず、特定のコネクタ付きケーブルに限定される課題があった。
【００１３】
また、１５０Ωの終端抵抗をシールド面に接続する場合は、終端抵抗をシールド面に接続する方法としては、ワニ口クリップ等の簡易的な接続方法が実施されており、シールド面に対して安定に１５０Ωの終端抵抗を接続できるものではなく、その結果、終端抵抗に浮遊インダクタンスおよび浮遊容量が発生し、所望のコモンモードインピーダンスが得られないなどの課題があった。
【００１４】
本発明は、以上のような課題を解消するためになされたものであり、通信用ケーブルの太さに対してフレキシブルに対応し、且つ終端抵抗の浮遊インダクタンスおよび浮遊容量を低減し、所望のコモンモードインピーダンスを安定に得る通信用ケーブルのコモンモードインピーダンス安定化治具を提供するものである。
【課題を解決するための手段】
【００１５】
本発明の通信用ケーブルのコモンモードインピーダンス安定化治具は、通信用ケーブルを載置する第１の挟み込み部材と、第１の挟み込み部材に対向するように設けられた第２の挟み込み部材と、第１の挟み込み部材と第２の挟み込み部材との間隔を調整自在にする間隔調整部材とを備え、第１の挟み込み部材は、通信用ケーブルのシールドと接触する接触面およびその接触面に対向する背面が導体で構成されると共に、それら接触面と背面との間が所望の抵抗値を有する抵抗体で構成され、導体で構成された背面が基準電位に設定されたものである。
【発明の効果】
【００１６】
本発明によれば、第１および第２の挟み込み部材と間隔調整部材とにより、通信用ケーブルのシールドと第１の挟み込み部材の接触面とを電気的に安定に接触させることができ、また、第１の挟み込み部材を、接触面と背面との間が所望の抵抗値を有する抵抗体で構成したことにより、終端抵抗の浮遊インダクタンスおよび浮遊容量を低減し、所望のコモンモードインピーダンスを安定に得ることができる。
また、間隔調整部材により、第１および第２の挟み込み部材の間隔を調整自在に構成したことにより、通信用ケーブルの太さに対してフレキシブルに対応することができる効果がある。
【図面の簡単な説明】
【００１７】
【図１】この発明の実施の形態１によるシールドケーブルにおける通信用ケーブルのコモンモードインピーダンス安定化治具を示す正面図である。
【図２】この発明の実施の形態２によるシールドケーブルにおける通信用ケーブルのコモンモードインピーダンス安定化治具を示す正面図である。
【図３】この発明の実施の形態３によるシールドケーブルにおける通信用ケーブルのコモンモードインピーダンス安定化治具を示す正面図である。
【図４】この発明の実施の形態４によるシールドケーブルにおける通信用ケーブルのコモンモードインピーダンス安定化治具を示す正面図である。
【図５】図４の上面図である。
【図６】シールドケーブルにおける通信ポート伝導ＥＭＩ測定系で、ＩＳＮが用意できない場合の測定系を示す模式図である。
【図７】シールドケーブルのシールド面に終端抵抗を接続する場合の接続法を示す模式図である。
【発明を実施するための形態】
【００１８】
実施の形態１．
図１はこの発明の実施の形態１によるシールドケーブルにおける通信用ケーブルのコモンモードインピーダンス安定化治具を示す正面図である。
図１において、挟み込み部材１は、グランド電位に設定された基準面２上に配置され、シールド面３ａが露出した状態のシールドケーブル３が載置される。
なお、挟み込み部材１は、シールドケーブル３のシールド面３ａと接触する接触面１ａおよび接触面１ａに対向する背面１ｂが導体で構成される。また、接触面１ａと背面１ｂとの間の部材１ｃが終端抵抗としての所望の抵抗値（１５０Ω）を有する抵抗体で構成される。さらに、導体で構成された背面１ｂが基準面２に配置される。
【００１９】
挟み込み部材４は、シールドケーブル３を挟んで挟み込み部材１に対向するように設けられる。なお、挟み込み部材４は、絶縁体で構成される。
ボルト５ａは、一端が挟み込み部材１に挿入され固定される。他端は挟み込み部材４に設けられたボルト５ａの直径よりも大きな穴（図示せず）に挿入され、挟み込み部材４の背面側よりナット５ｂで締め込まれ、挟み込み部材４でシールド面３ａに所定の押圧が掛るように押さえられる。
なお、ボルト５ａおよびナット５ｂにより、間隔調整部材を構成する。
このような構成により、シールドケーブル３のシールド面３ａとグランド電位に設定された基準面２の間に、所望の抵抗値（１５０Ω）を有する終端抵抗を接続することができる。
【００２０】
次に動作について説明する。
シールドケーブルにおける通信ポート伝導ＥＭＩ測定手順は、図６に示す測定系を組み、供試装置（ＥＵＴ）と対向装置（ＡＥ）との間をフェライトチューブを装着したシールドケーブル３で接続する。また、図７に示すように、シールドケーブル３の絶縁外皮を破り、シールドケーブル３のシールド面３Ａを、図１に示した治具の挟み込み部材１上に載置し、挟み込み部材４、ボルト５ａおよびナット５ｂにより挟み込む。
このように接続することで、シールドケーブル３のコモンモードインピーダンスを１５０Ωに保ち、シールドケーブル３のシールドに誘起されるコモンモードノイズの電圧または電流を、電圧または電流プローブを用いて測定する。
【００２１】
この実施の形態１によれば、挟み込み部材１，４と、ボルト５ａおよびナット５ｂにより、シールド面３ａを挟み込み部材１の接触面１ａで適度に押圧することができることから、シールド面３ａと接触面１ａとを電気的に安定に接触させることができ、また、挟み込み部材１を、接触面１ａと背面１ｂとの間が所望の抵抗値（１５０Ω）を有する抵抗体で構成したことにより、終端抵抗の浮遊インダクタンスおよび浮遊容量を低減し、所望のコモンモードインピーダンスを安定に得ることができる。
また、ボルト５ａおよびナット５ｂにより、挟み込み部材１，４の間隔を調整自在に構成したことにより、シールドケーブル３の太さに対してフレキシブルに対応することができる。
【００２２】
なお、上記実施の形態１では、通信用ケーブルとしてシールドケーブル３を適用したものについて説明したが、通信用ケーブルとして同軸線、あるいは多芯線を適用しても良く、同様な効果が得られる。
【００２３】
実施の形態２．
図２はこの発明の実施の形態２によるシールドケーブルにおける通信用ケーブルのコモンモードインピーダンス安定化治具を示す正面図である。
図２において、挟み込み部材４は、シールドケーブル３のシールド面３ａと接触する接触面４ａが導体で構成される。
また、導体ばね６は、伸縮自在な導体により構成され、挟み込み部材１の接触面１ａと挟み込み部材４の接触面１ａとを電気的に接続するものである。
なお、導体ばね６により、第１の導体部材を構成する。
その他の構成については、図１と同様である。
【００２４】
この実施の形態２によれば、挟み込み部材１の接触面１ａに加え、挟み込み部材４の接触面４ａを導体で構成したことにより、シールド面３ａと挟み込み部材１，４の接触面１ａ，４ａとを電気的により安定に接触させることができ、終端抵抗の浮遊インダクタンスおよび浮遊容量を低減し、所望のコモンモードインピーダンスをより安定に得ることができる。
【００２５】
実施の形態３．
図３はこの発明の実施の形態３によるシールドケーブルにおける通信用ケーブルのコモンモードインピーダンス安定化治具を示す正面図である。
図３において、挟み込み部材４は、挟み込み部材１と同様に、シールドケーブル３のシールド面３ａと接触する接触面４ａおよび接触面４ａに対向する背面４ｂが導体で構成される。また、接触面４ａと背面４ｂとの間の部材４ｃが抵抗体で構成される。
【００２６】
なお、図１および図２では、挟み込み部材１の部材１ｃが終端抵抗としての所望の抵抗値（１５０Ω）を有する抵抗体で構成されるものについて説明したが、図３では挟み込み部材１の部材１ｃおよび挟み込み部材４の部材４ｃが共に抵抗値（３００Ω）を有する抵抗体で構成され、それら２つの抵抗体による並列抵抗で所望の抵抗値（１５０Ω）を有するように設定される。
【００２７】
また、図１および図２では、ボルト５ａおよびナット５ｂが導体または絶縁体のいずれで構成されても良かったが、図３ではボルト５ａおよびナット５ｂが導体で構成され、挟み込み部材１，４の背面１ｂ，４ｂ同士がボルト５ａおよびナット５ｂを介して電気的に接続される。
その他の構成については、図１および図２と同様である。
【００２８】
この実施の形態３によれば、挟み込み部材１，４がシールド面３ａに対して対称になるように構成したことにより、シールド面３ａと挟み込み部材１，４の接触面１ａ，４ａとを電気的により安定に接触させることができ、また、シールド面３ａに与える抵抗も対称になることから、終端抵抗の浮遊インダクタンスおよび浮遊容量を低減し、所望のコモンモードインピーダンスをより安定に得ることができる。
【００２９】
なお、上記実施の形態３では、挟み込み部材１の部材１ｃおよび挟み込み部材４の部材４ｃが共に抵抗値（３００Ω）を有する抵抗体で構成したが、両者の抵抗値は異なっていても良く、２つの抵抗体による並列抵抗で所望の抵抗値（１５０Ω）を有するように設定されていれば良い。
【００３０】
また、上記実施の形態３では、ボルト５ａおよびナット５ｂを導体で構成したが、ボルト５ａと挟み込み部材１の部材１ｃとを機械的に固定すると共に、ボルト５ａと挟み込み部材１，４の部材１ｃ，４ｃとを電気的に非接続にしても良い。
この場合、終端抵抗の抵抗値の設定精度を高めることができる。
なお、ボルト５ａと挟み込み部材１の部材１ｃとを電気的に非接続にする場合には、絶縁性接着剤などを用いて、ボルト５ａと挟み込み部材１の部材１ｃとを機械的に固定する。
また、ボルト５ａと挟み込み部材４の部材４ｃとを電気的に非接続にする場合には、挟み込み部材４の部材４ｃに設けられる穴を、ボルト５ａの直径よりもかなり大きくし、ボルト５ａと部材４ｃとが非接触になるようにするなどが挙げられる。
【００３１】
実施の形態４．
図４はこの発明の実施の形態３によるシールドケーブルにおける通信用ケーブルのコモンモードインピーダンス安定化治具を示す正面図である。図５はその上面図である。
図４および図５において、導体棒７ａは、基準面２上であって、ボルト５ａに対して平行に配置される。
導体板７ｂは、挟み込み部材４の背面４ｂに固定される。また、導体板７ｂに設けられた接触板７ｃは、導体棒７ａに摺動自在にされる。
なお、導体棒７ａ、導体板７ｂおよび接触板７ｃにより、第２の導体部材を構成する。
また、図３ではボルト５ａおよびナット５ｂが導体で構成されたものを示したが、図４では、ボルト５ａおよびナット５ｂが導体または絶縁体のいずれで構成されても良い。
その他の構成については、図３と同様である。
【００３２】
この実施の形態４によれば、上記実施の形態３と同様な効果が得られる。
また、上記実施の形態３では、ボルト５ａおよびナット５ｂを導体で構成したため、ボルト５ａと挟み込み部材１の部材１ｃとの電気的特性について配慮しなければならない。
この実施の形態４では、挟み込み部材１，４の背面１ｂ，４ｂ同士が、外付けの導体棒７ａ、導体板７ｂおよび接触板７ｃを介して電気的に接続されるので、上記電気的特性について配慮することなく、終端抵抗の抵抗値の設定精度を高めることができる。
【００３３】
なお、本願発明はその発明の範囲内において、各実施の形態の自由な組み合わせ、あるいは各実施の形態の任意な構成要素の変形、もしくは各実施の形態において任意な構成要素の省略が可能である。
【符号の説明】
【００３４】
１，４  挟み込み部材、１ａ，４ａ  接触面、１ｂ，４ｂ  背面、１ｃ，４ｃ  部材、２  基準面、３  シールドケーブル、３ａ  シールド面、５ａ  ボルト、５ｂ  ナット、６  導体ばね、７ａ  導体棒、７ｂ  導体板、７ｃ  接触板。
【図１】
0005583081.tif 000002
【図２】
0005583081.tif 000003
【図３】
0005583081.tif 000004
【図４】
0005583081.tif 000005
【図５】
0005583081.tif 000006
【図６】
0005583081.tif 000007
【図７】
0005583081.tif 000008